(57)【要約】  【課題】  性描写や暴力描写など特定の画像を、必要に応じて飛ばして再生可能なデータ構造を有する再生データ、及びこの再生データを記録したデータ記憶媒体、及び、このデータ構造を有する再生データの再生装置を提供する。  【解決手段】  再生データ１は、再生時間方向に積み上げられた複数のブロック状に区分されている。また、この再生データ１は、各ブロックの再生シーンを識別するための識別子がブロック毎に指定されている。「Ｓ＆Ｂ」の識別子は、性描写や暴力描写がなされているシーンであることを示している。この再生データ１は、この再生データ１を利用する利用者の好みに応じて、ある識別子に属する一部のブロックに区分された再生データを飛ばして再生することができる。従って、本実施形態のデータ構造を有する再生データ１を用いれば、性描写や暴力描写がなされている部分だけを飛ばして再生することができる。【選択図】  図１
2007104276.tif 000002
【特許請求の範囲】
【請求項１】
再生装置で再生可能な再生データのデータ構造において、
前記再生データは、再生時間方向に積み上げられた複数のブロック状に区分され、前記各ブロックの再生シーンを識別するための識別子が前記ブロック毎に指定されていることを特徴とするデータ構造。
【請求項２】
請求項１記載のデータ構造を有する前記再生データを記録したことを特徴とする記憶媒体。
【請求項３】
請求項１記載のデータ構造を有する前記再生データの再生装置において、
操作者の操作に従って、前記識別子を指定する識別子指定手段を備え、
この識別子指定手段で指定された前記識別子に対応する前記ブロック部分の前記再生データを再生することを特徴とする再生装置。
【請求項４】
請求項３記載の再生装置において、
前記各識別子に対応する前記ブロック部分の前記再生データを再生するために要する再生時間を表示する再生時間表示手段を備えることを特徴とする再生装置。
【請求項５】
請求項３、４のいずれかに記載の再生装置において、
前記再生データの再生中に、前記識別子指定手段で指定された前記識別子を操作者の操作に従って変更する識別子変更手段を備え、
この識別子変更手段による前記識別子の変更後、変更された前記識別子に対応する前記ブロック部分の前記再生データを再生することを特徴とするデータ再生装置。
【請求項６】
請求項３〜５のいずれかに記載された再生装置において、
予め決められた前記識別子に対応する前記ブロック部分の再生データの再生を禁止する再生禁止手段と、
操作者の暗証番号の入力操作がなされると、前記再生禁止手段による再生の禁止を解除する解除手段と
を備えることを特徴とする再生装置。
【請求項７】
請求項３〜６のいずれかに記載された再生装置において、
再生時間を有する前記再生データに他の割込再生データを挿入する挿入手段を備えることを特徴とする再生装置。
【請求項８】
請求項７記載の再生装置において、
前記挿入手段で前記割込再生データを挿入した前記再生データを再生するか、挿入していない前記再生データを再生するかを選択する選択操作に従って前記再生データを再生する再生手段と、
この再生手段での再生結果を示す再生情報を、一般公衆回線を介して監視装置に送信する送信手段と、
を備えることを特徴とする再生装置。
【請求項９】
請求項８記載の再生装置と通信可能な監視装置において、
前記再生情報により、前記割込再生データの再生回数に応じた第１課金情報を作成する第１課金情報作成手段を備えることを特徴とする監視装置。
【請求項１０】
請求項８記載の再生装置と通信可能な監視装置において、
前記再生情報により、前記再生データが再生されたときに、前記割込再生データが再生されなかった回数に応じた第２課金情報を作成する第２課金情報作成手段を備えることを特徴とする監視装置。
【発明の詳細な説明】
【技術分野】
【０００１】
本発明は、再生装置で再生可能な再生データのデータ構造、このデータ構造を有する再生データを記録したデータ記憶媒体、このデータ構造を有する再生データを再生する再生装置、及び、監視装置に関する。
【背景技術】
【０００２】
近年のデジタル技術の進展により、多くの映像が、インターネットやＣＤ、ＤＶＤといった記録媒体を通じて取引されるようになった。
【発明の開示】
【発明が解決しようとする課題】
【０００３】
しかし、その映像の中には、性や暴力を描写したシーンを含む映像も数が多く、これらの映像を無条件に再生可能とすると、教育上問題があった。
そこで本発明では、上述した問題点を解決し、性や暴力が表現されたシーンなど特定の再生シーンを必要に応じて飛ばして再生することができるデータ構造を有する再生データ、及びこの再生データを記録したデータ記憶媒体、このデータ構造を有する再生データを再生する再生装置、及び、監視装置を提供することを目的とする。
【課題を解決するための手段】
【０００４】
上述した問題点を解決するためになされた発明である請求項１に記載の再生データは、再生時間方向に積み上げられた複数のブロック状に区分され、前記各ブロックの再生シーンを識別するための識別子が前記ブロック毎に指定されていることを特徴とする。
【０００５】
このようなデータ構造を有する再生データは、この再生データを利用する利用者側において、区分された各ブロックの再生シーンを識別子によって識別することが可能である（例えば、ハイライトなのか、性描写がされているのか等を識別できる）。また、このようなデータ構造を有する再生データは、ブロック状に区分されているので、いわゆるブロックを抜き差しするように、一部のブロックを飛ばして残りを再生したり、一部のブロックだけを抜き出して再生することが可能である。そのため、この再生データは、この再生データを利用する利用者の好みに応じて、ある識別子に属する一部のブロックに区分された再生データを飛ばして再生したり、それとは逆に、ある識別子に属する一部のブロックに区分された再生データだけを再生することが可能である。
【０００６】
従って、本発明のデータ構造を有する再生データを用いれば、例えば、再生データが映像データの場合、性や暴力が表現されたシーンなど特定の再生シーンだけを飛ばして再生することができる。また、本発明の再生データを用いれば、再生データの内容を短時間で確認するため、ハイライトシーンなど、内容確認ができる部分だけを選んで再生することもできる。その他、用途に応じて様々な形態で再生データを再生することができる。
【０００７】
尚、本発明の再生データは、識別子が指定されていないブロックがあってもよい。他のブロックに識別子が指定されていれば、識別子が指定されていないブロックは、識別子が指定されている他のブロックとの関係で、識別子が指定されていないことで識別できるからである。
【０００８】
また、このようなデータ構造を有する再生データを記録するデータ記憶媒体としては、ＤＶＤやＣＤ等が好ましいが、再生データを記録可能なメディアであれば、どのようなものでもよい。
【０００９】
次に、上記のデータ構造を有する再生データを再生する再生装置について説明する。
請求項３記載の再生装置は、操作者の操作に従って、前記識別子を指定する識別子指定手段を備え、この識別子指定手段で指定された前記識別子に対応する前記ブロック部分の前記再生データを再生し、あるいは、再生を禁止して他の部分を再生することを特徴とする。
【００１０】
このように構成された再生装置では、識別子指定手段で指定された識別子に対応するブロック部分の再生データだけを再生したり、あるいは、その指定された識別子に対応するブロック部分の再生データの再生を禁止し、その他の部分だけを再生することが可能である。
【００１１】
従って、本発明の再生装置を用いれば、例えば、再生データの内容を短時間で確認するため、ハイライトシーンだけを再生したい場合、ハイライトシーンを識別する識別子を指定するだけで、再生データのハイライトシーンだけを再生することができる。
【００１２】
また、本発明の再生装置を用いれば、例えば、性や暴力が表現されているシーンを飛ばして再生したい場合、性や暴力が表現されているシーンを識別する識別子を指定するだけで、性や暴力が表現されているシーンを飛ばした状態で再生データを再生することができる。
【００１３】
尚、この再生装置において、識別子指定手段で指定できる識別子は１つでもよいし複数でもよい。
また、この再生装置については、請求項４に記載した、前記各識別子に対応する前記ブロック部分の前記再生データを再生するために要する再生時間を表示する再生時間表示手段を備えているとよい。この表示手段を備える再生装置では、各識別子を指定したときの再生時間が再生時間表示手段に表示されるので、この再生装置を用いると、再生データを利用する利用者の都合に応じて、再生データを様々な長さで再生することができる。
【００１４】
次に、請求項５記載の再生装置は、再生データの再生中に、識別子指定手段で指定された識別子を操作者の操作に従って変更する識別子変更手段を備え、この識別子変更手段による前記識別子の変更後、変更された前記識別子に対応する前記ブロック部分の前記再生データを再生することを特徴とする。
【００１５】
この再生装置は、識別子指定手段で決定された識別子が識別子変更手段で変更されれば、再生データの再生中であっても、その変更後、変更された識別子に対応するブロック部分の再生データを再生する。
【００１６】
従って、この再生装置を用いれば、再生すべき再生データを、再生途中に都合に応じて変更することができる。
次に、請求項６記載の再生装置は、予め決められた前記識別子に対応する前記ブロック部分の再生データの再生を禁止する再生禁止手段と、操作者の暗証番号の入力操作がなされると、前記再生禁止手段による再生の禁止を解除する解除手段とを備えることを特徴とする。
【００１７】
この再生装置は、予め再生を禁止する識別子が決められており、また、その禁止された識別子に相等する部分の再生データを再生する場合、暗証番号を入力せねばならないので、暗証番号を知らない人以外には、所定の識別子のブロックに属する再生データを再生することが不能となる。
【００１８】
従って、この再生装置を用いると、性や暴力が表現されたシーンの再生を、自動的に禁止するとともに、その再生が禁止された部分について、必要に応じて再生することができる。
【００１９】
ところで、本発明の再生データは、再生データ中の特定の部分を飛ばして再生すると、再生データのストーリー性がなくなることがある。そのため、再生データの中に、飛ばされたブロックの前後のストーリーを繋ぐ繋ぎのデータを組み込みこんでおき、再生装置側でＳ＆Ｂランク等、特定の識別子のブロックが飛ばされて再生されるときは、飛ばされるブロック部分の再生データに代えて、その繋ぎのデータを再生するようにしてもよい。
【００２０】
そのため、請求項７記載に示したように、本発明の再生装置は、再生時間を有する再生データに割込再生データを挿入する挿入手段を備えてもよい。
この再生装置は必要があれば挿入手段が割込再生データを挿入するので、この再生装置を用いれば、例えば、Ｓ＆Ｂの識別子のブロックを指定し、そのブロックの再生が禁止された場合に、繋ぎのデータとなる割込再生データを挿入することで、再生データのストーリー性を維持することができる。
【００２１】
あるいは、インターネット等を使って映像の再生データを配信する際は、再生データの所々に再生装置側でＣＭ等の割込再生データを挿入することができる。その場合、請求項８記載に示したように、本発明の再生装置は、この挿入手段で前記割込再生データを挿入した前記再生データを再生するか、挿入していない前記再生データを再生するかを選択する選択操作に従って前記再生データを再生する再生手段と、この再生手段での再生結果を示す再生情報を、一般公衆回線を介して監視装置に送信する送信手段とを備えるとよい。
【００２２】
この再生装置は、割込再生データを挿入した再生データ、あるいは、割込再生データを挿入していない再生データを選択操作に従って再生し、その再生結果を一般公衆回線を介して監視装置に送信するので、監視装置側において、割込再生データを割り込ませていない再生データを何度再生したか、割込再生データが何回再生されたかなど、再生装置側での再生データや割込再生データの再生状況の把握が可能となる。
【００２３】
従って、本発明の再生装置を用いると、例えば、再生データの再生の有無や、割込再生データの再生の有無をパラメータとした課金など、再生データの再生状況に応じた課金などを監視者側において行うことができる。
【００２４】
ところで、課金方法としては２通りあり、その一つは、例えば、割込再生データとしてコマーシャルを使用し、そのコマーシャルが再生データに挿入され、再生データの再生中にそのコマーシャルを利用者が見た場合に、再生データの著作権料として、そのコマーシャルのスポンサーに課金するものと、コマーシャルを利用者が見なかった場合に、再生データの著作権料として、利用者に課金するものである。
【００２５】
前者については、請求項９に記載した監視装置のように、再生情報により、割込再生データの再生回数に応じた第１課金情報を作成する第１課金情報作成手段を備えているものを用いればよい。この監視装置では、割込再生データの再生回数に応じた第１課金情報を作成できるので、割込再生データ、すなわちコマーシャルの提供者に対する課金情報を作成することができる。
【００２６】
また後者については、請求項１０に記載した監視装置のように、再生情報により、割込再生データが再生されずに再生された再生データの再生回数に応じた第２課金情報を作成する第２課金情報作成手段を備えているものを用いればよい。この監視装置では、割込再生データが再生されずに再生された再生データの再生回数に応じた第２課金情報を作成できるので、再生データの利用者に対し、再生データの著作権料に関する課金情報を作成することができる。
【発明を実施するための最良の形態】
【００２７】
以下、本発明を実施するための最良の形態について図面を用いて説明する。
[第１実施形態]
＜再生データについて＞
図１は本実施形態の再生データについて説明するための説明図で、（ａ）は再生データのデータ構造を示す模式図、（ｂ）はブロックとレベルの情報が記録されたテーブルデータのデータ表である。
【００２８】
本実施形態の再生データ１は、映像を記録したデータであり、図１（ａ）に示すように、再生時間方向に積み上げられた複数のブロック状に区分されている。そして本実施形態では、この区分は、再生データ１の再生時間をパラメータとして行われ、各ブロックは、このパラメータを用いて、その範囲が定められている。具体的には、図１（ｂ）に示すように、再生を開始する０分〜Ａ１分までが第１ブロック、Ａ１分〜Ａ２分までが第２ブロック、以後、Ａｎ−１分〜Ａｎ分までが第ｎブロックと定められている。
【００２９】
また、この再生データ１は、各ブロックの再生シーンを識別するための識別子がブロック毎に指定されている。識別子は、図１（ｂ）に示すように、本実施形態では、「Ａ」〜「Ｃ」及び「Ｓ＆Ｂ」の４種類があり、Ａは、ハイライトシーンの映像であることを示し、Ｂは映像の流れを把握する上で重要度がハイライトに次ぐシーンであることを示し、Ｃは映像の流れを把握する上で重要度が低いシーンであることを示し、「Ｓ＆Ｂ」は、性や暴力が表現されたシーンであることを示している。本実施形態では、具体的には、第１、第４ブロック等が識別子「Ａ」、第２ブロックが識別子「Ｂ」、第３ブロックが識別子「Ｃ」、第５ブロックが識別子「Ｓ＆Ｂ」が指定されている。
【００３０】
そして、本実施形態では、各ブロック毎に、再生データ１の再生時間をパラメータとして表した各ブロックの範囲と、各ブロックの識別子に関する識別子情報とが関連付けられた図１（ｂ）に示すようなテーブルデータが作成され、このテーブルデータは、再生データ１の図示しないヘッダ部に格納されている。
【００３１】
このように構成された再生データ１は、本実施形態ではＤＶＤに記録されている。
＜再生装置について＞
次に、上述した再生データを再生する再生装置であるコンピュータ装置について説明する。
【００３２】
ここで図２は、再生データを再生可能なコンピュータ３のブロックである。
このコンピュータ３は、本体３ａにＣＰＵ３０ａ、ＲＯＭ３０ｂ、ＲＡＭ３０ｃ等を備える中央制御装置３０と、映像信号の出力を行う映像出力装置３２、ヒューマンインターフェイス機器と通信を行う入出力装置３４、ＤＶＤその他の記録メディアに対しデータの書込及び読込を行うリーダライタ３６、及び、その他の装置４０と備えている。また、本体３ａには、モニタ４２とマウス４４が接続され、モニタ４２は映像出力装置３２と接続され、マウス４４は入出力装置３４と接続されている。そして、中央制御装置３０、映像出力装置３２、入出力装置３４、リーダライタ装置３６及びその他の装置４０は、バス４６を介して通信可能に接続され、各装置３２〜４４は、中央制御装置３０で実行される各種処理に基づいて動作する。
＜各種処理について＞
次に、このコンピュータ３で実行される各種処理について説明する。
【００３３】
ここで図３は再生データの再生方法を選択する際に実行される主処理のフローチャート、図４は、主処理が実行されているときにモニタ４２に表示される選択画面の模式図、図５〜７は、主処理のうち選択処理で実行される各種処理のフローチャートで、図５はＳ＆Ｂ解除処理、図６はＳ＆Ｂ選択処理、図７はレベル選択処理のフローチャートである。
｛主処理｝
本実施形態のコンピュータ３では、リーダライタ３６にＤＶＤが挿入されるか、マウス４４を操作して、再生データを再生させるための所定のスタート操作が実行されると、図３に示す主処理（Ｓ１）が実行される。
【００３４】
この主処理（Ｓ１）が実行されると、中央制御装置３０は、まず選択画面表示処理（Ｓ３）を実行し、図４に示すように、モニタ４２に画像５０を表示する。この画像５０は、メイン画像部５１と、再生時間画像部５２と、選択画像部５３で構成されている。このうちメイン画像部５１には、再生データを再生した映像が表示され、再生時間画像部５２には、棒グラフが徐々に伸びる様子を表示することによって、メイン画像部５１で再生されている再生データの再生時間を示す画像が表示される。また、選択画像部５３には、４つの識別子選択アイコン５３ａ〜５３ｄが表示される。このうちアイコン５３ａは、識別子Ａ〜ＣとＳ＆Ｂの全てを選択するためのアイコンである。アイコン５３ｂは、識別子Ａ〜Ｃを選択するためのアイコンである。アイコン５３ｃは、識別子Ａ、Ｂを選択するためのアイコンである。アイコン５３ｄは、識別子Ａのみを選択するためのアイコンである。また、選択画像部５３には、Ｓ＆Ｂ選択用のアイコン５３ｅ、５３ｆも表示される。このうちアイコン５３ｅは、識別子Ｓ＆Ｂの映像の表示を禁止することを選択するためのアイコンである。そしてアイコン５３ｆは、識別子Ｓ＆Ｂの映像の表示の禁止を解除することを選択するためのアイコンである。そして、このうちアイコン５３ａは、本実施形態のコンピュータ３では、識別子Ｓ＆Ｂの映像の再生を予め禁止する設定がなされているので、当初は選択することができず、このアイコン５３ａを選択できないことを示す形態で表示がなされている。具体的には、画像５０のうち、アイコン５３ａであることを示す文字を輪郭だけで示した文字の画像を表示するなどしている。
【００３５】
次に、中央制御装置３０は、選択処理（Ｓ５）を実行する。
この選択処理（Ｓ５）では、主に、以下に示す３つの処理が行われる。
｛Ｓ＆Ｂ解除処理｝
一つは、図５に示すＳ＆Ｂ解除処理（Ｓ４０）である。このＳ＆Ｂ解除処理（Ｓ４０）を開始すると、中央制御装置３０は、Ｓ＆Ｂ解除のアイコン５３ｆが押されたか否かを判定する（Ｓ４１）。この判定（Ｓ４１）により、中央制御装置３０が、アイコン５３ｆが操作されたと判定したら（Ｓ４１：ＹＥＳ）、暗証番号の入力を促す図示しない表示を行う処理を実行する（Ｓ４２）。次に、中央制御装置３０は、図示しないキーボード等により入力された暗証番号が正しいものか否かを判定する処理（Ｓ４３）を実行する。この処理（Ｓ４３）により、中央制御装置３０が、入力された暗証番号が正しいものではないと判定したら（Ｓ４３：ＮＯ）、暗証番号の入力を促す画面の表示を中止し、再びＳ４１の処理を実行する。一方、中央制御装置３０が、入力された暗証番号が正しいものであると判定したら（Ｓ４３：ＹＥＳ）、暗証番号の入力を促す画面の表示を中止した後、Ｓ＆Ｂ解除フラグをＲＡＭ３０ｃに立て、アイコン５３ａの選択の禁止を解除する処理（Ｓ４４）を実行する。具体的には、アイコン５３ａであることを示す文字を、文字の輪郭の中を塗りつぶした画像を表示するなどしている。そして、このＳ４４の処理が終了するか、Ｓ４１の判定により、アイコン５３ｆが操作されていないと判定されると（Ｓ４１：ＮＯ）、中央制御装置３０は、再生データの再生が所定の操作により停止されたかあるいは終了したか否かを判定し（Ｓ４５）、停止等していなければ（Ｓ４５：ＮＯ）、再びＳ４１の処理から繰り返し実行する。一方、停止していれば（Ｓ４５：ＹＥＳ）、主処理（Ｓ１）に戻る。
【００３６】
このＳ＆Ｂ解除処理（Ｓ４０）を実行すると、Ｓ＆Ｂレベルの映像の再生が禁止されている本実施形態のコンピュータ３において、Ｓ＆Ｂレベルの映像の再生が可能となる。具体的には、アイコン５３ａが選択可能となり、再生データを一切カットすることなく再生することが可能となる。
｛Ｓ＆Ｂ選択処理｝
二つは、図６に示すＳ＆Ｂ選択処理（Ｓ５０）である。このＳ＆Ｂ選択処理（Ｓ５０）は、Ｓ＆Ｂ解除処理（Ｓ４０）が実行され、ＲＡＭ３０ｂにＳ＆Ｂ解除フラグが立てられているときに実行される処理である。このＳ＆Ｂ選択処理（Ｓ５０）を開始すると、中央制御装置３０は、Ｓ＆Ｂ禁止のアイコン５３ｅが押されたか否かを判定する（Ｓ５１）。この判定（Ｓ５１）により、中央制御装置３０が、アイコン５３ｅが操作されたと判定したら（Ｓ５１：ＹＥＳ）、ＲＡＭ３０ｂに立てられたＳ＆Ｂ解除フラグを消去し、アイコン５３ａの選択を禁止する処理を実行する（Ｓ５２）。具体的には、画像５０のうち、アイコン５３ａが選択できないことを示すため、アイコン５３ａであることを示す文字を輪郭だけで示した文字の画像に変更するなどの処理を行う。一方、この判定（Ｓ５１）により、中央制御装置３０が、アイコン５３ｅが操作されていないと判定するか（Ｓ５１：ＮＯ）、あるいはＳ５２の処理が終了したら、再生データの再生が停止あるいは終了したか否かを判定し（Ｓ５３）、停止等していなければ（Ｓ５３：ＮＯ）、再びＳ５１の処理から繰り返し実行する。一方、停止していれば（Ｓ５３：ＹＥＳ）、主処理（Ｓ１）に戻る。
【００３７】
このＳ＆Ｂ選択処理（Ｓ５０）を実行すると、Ｓ＆Ｂレベルの映像の再生が禁止される。具体的には、アイコン５３ａの選択が不能となり、Ｓ＆Ｂレベルの映像だけをカットして再生データが再生される。尚、Ｓ＆Ｂレベルのアイコン５３ａが選択されているときに、このＳ＆Ｂ選択処理（Ｓ５０）のＳ５２の処理が実行され、Ｓ＆Ｂ識別子の映像の再生が禁止されたときは、アイコン５３ｂが選択されたものとして処理するとよい。
｛識別子指定処理｝
三つは、図７に示す識別子指定処理（Ｓ６０）である。この識別子指定処理（Ｓ６０）を開始すると、中央制御装置３０は、アイコン５３ａ〜５３ｄのうちいずれのアイコンが押されたか否かを判定する（Ｓ６１）。この判定（Ｓ６１）により、中央制御装置３０が、アイコン５３ａ〜５３ｄのいずれかが操作されたと判定したら（Ｓ６１：ＹＥＳ）、何れのアイコン５３ａ〜５３ｄが操作されたかを示すフラグをＲＡＭ３０ｂに立て（Ｓ６２）、あるいは、すでにフラグが立てられていたら更新する処理を実行する。一方、この判定（Ｓ６１）により、中央制御装置３０は、いずれのアイコン５３ａ〜５３ｄも操作されていないと判定したら（Ｓ６１：ＮＯ）、あるいはＳ６２の処理が終了したら、映像出力が停止されたか否かを判定し（Ｓ６３）、停止等していなければ（Ｓ６３：ＮＯ）、再びＳ５１の処理から繰り返し実行する。一方、停止していれば（Ｓ６３：ＹＥＳ）、主処理（Ｓ１）に戻る。
【００３８】
この識別子指定処理（Ｓ６０）を実行すると、中央制御装置３０は、例えば、アイコン５３ａが選択された場合は、全ての映像データを使って映像を、メイン画像部５１に表示する。アイコン５３ｂが選択された場合は、Ｓ＆Ｂの識別子が付与されたブロック部分の映像を飛ばして映像を表示する。アイコン５３ｃが選択された場合は、Ｓ＆Ｂ及びＣの識別子が付与されたブロック部分の映像を飛ばして映像を表示する。アイコン５３ｄが選択された場合は、Ａの識別子が付与されたブロック部分の映像のみを表示することが可能となる。
【００３９】
またこの識別子指定処理（Ｓ６０）では、再生データの再生中に識別子を変更することができるので、再生途中に、新しく選択された識別子が付与されたブロック部分の再生データを再生することができる。
【００４０】
以上説明した再生データ及び再生装置を用いると以下に述べるような特徴的な作用効果がある。
上述したこのようなデータ構造を有する再生データ１は、この再生データ１を利用する利用者側において、区分された各ブロックの再生シーンを識別子によって識別することが可能である（例えば、ハイライトなのか、性表現等がされているのか等を識別できる）。た、このようなデータ構造を有する再生データ１は、ブロック状に区分されているので、いわゆるブロックを抜き差しするように、一部のブロックを飛ばして残りを再生したり、一部のブロックだけを抜き出して再生することが可能である。そのため、この再生データ１は、この再生データ１を利用する利用者の好みに応じて、ある識別子に属する一部のブロックに区分された再生データ１を飛ばして再生したり、それとは逆に、ある識別子に属する一部のブロックに区分された再生データ１だけを再生することも可能である。
【００４１】
従って、本実施形態のデータ構造を有する再生データ１を用いれば、例えば、再生データ１が映像データの場合、アイコン５３ｂを操作すると、性や暴力が表現されたシーンなど特定の再生シーンだけを飛ばして再生することができる。また、本実施形態の再生データ１を用いれば、アイコン５３ｄを操作すると、再生データ１の内容を短時間で確認するため、ハイライトシーンなど、内容確認ができる部分だけを選んで再生することもできる。その他、用途に応じて様々な形態で再生データ１を再生することができる。
【００４２】
次に、本実施形態のコンピュータ３は、アイコン５３ａ〜５３ｄで識別子を指定すると、指定された識別子に対応するブロック部分の再生データ１だけを再生したり、あるいは、その指定された識別子に対応するブロック部分の再生データ１の再生を禁止し、その他の部分だけを再生することが可能である。
【００４３】
従って、本実施形態のコンピュータ３を用いると、例えば、再生データ１の内容を短時間で確認するためハイライトシーンだけを再生したい場合、アイコン５３ｄを操作し、ハイライトシーンを識別する識別子Ａを指定するだけで、再生データ１のハイライトシーンだけを再生することができる。また、本実施形態のコンピュータ３を用いると、例えば、性や暴力が表現されているシーンを飛ばして再生したい場合、アイコン５３ｂを操作し、性や暴力が表現されているシーンを識別する識別子を間接的に指定するだけで、性や暴力が表現されているシーンを飛ばした状態で再生データ１を再生することができる。
【００４４】
次に、本実施形態のコンピュータ３では、各識別子を指定したときの再生時間が表示されるので（図２参照）、再生時間に応じた識別子の選択が可能となる。その結果、このコンピュータ３を用いると、再生データ１を利用する利用者の都合に応じて、再生データ１を様々な長さで再生することができる。
【００４５】
次に、本実施形態のコンピュータ３は、アイコン５３ａ〜５３ｄで決定された識別子が識別子指定処理で変更されれば（Ｓ６２）、再生データ１の再生中であっても、その変更後、変更された識別子に対応するブロック部分の再生データ１の再生が可能である。
【００４６】
従って、このコンピュータ３を用いれば、再生データ１の再生を開始するときに指定した識別子を、再生途中の都合に応じて変更することができる。
次に、このコンピュータ３は、予め再生を禁止する識別子が決められており、また、その禁止された識別子に相等する部分の再生データ１を再生する場合、暗証番号を入力せねばならないので（Ｓ４２）、暗証番号を知らない人以外には、所定の識別子のブロックに属する再生データ１を再生することが不能となる。
【００４７】
従って、このコンピュータ３を用いると、性や暴力の表現がされたシーンの再生を、自動的に禁止するとともに、その再生が禁止された部分について、必要に応じて再生することができる。
【００４８】
尚、本実施形態では、再生データ１として映像のデータを利用したが、再生時間を有する再生データ１であればどのようなデータでもよく、例えば、音楽や音声等のデータでもよい。
【００４９】
また、本実施形態の再生データ１は、再生データ１中の特定の部分を飛ばして再生すると、再生データ１のストーリー性がなくなることがある。そのため、再生データ１の中に、特定のブロックが飛ばされたとき、その飛ばされたブロックの前後の再生データ１のストーリーを繋ぐ繋ぎデータを組み込み、コンピュータ３側でＳ＆Ｂランク等、特定のレベルのブロックを飛ばして再生することが指示されたら、本来その飛ばされた部分が再生されるタイミングで繋ぎデータを再生するようにしてもよい。
【００５０】
また、本実施形態では、再生データ１をＤＶＤに記録したものについて説明したが、インターネット等を介して再生データ１をダウンロードした場合、あるいは、一般のテレビ放送用の電波に載った再生データ１を受信した場合の再生データ１に対しても、上述した処理を適用して、様々な処理を実行することができる。
【００５１】
その場合例えば、放送用電波に載った再生データ１を受信して録画し、それを追いかけ再生したい場合、図２に示すように、各アイコン５３ａ〜５３ｄを操作して追いかけ再生をした場合の再生時間を示してあると、その特定時間までに余裕に応じたレベルで、再生データ１を再生して内容を確認することができる。具体的には、８時に用事があり、７時から８時までの番組について追いかけ再生をする場合、アイコン５３ａだと１時間、アイコン５３ｂだと５０分、アイコン５３ｃだと３０分、アイコン５３ｄだと１０分の再生時間を要するとすると、７時半に追いかけ再生を開始した場合、アイコン５３ｃを選択することで、Ａ＋Ｂのレベルでの内容を確認することができる。しかし、それ以降だと、８時を過ぎてしまうので、アイコン５３ｄしか選択できないが、Ａレベルでの内容は確認できる。放送番組の場合、リアルタイムで内容を確認したいという要請が強いが、本実施形態のコンピュータ３を用いると、再生データ１を再生できる余裕のある時間に応じて、再生データ１の内容を再生することができる。このような追いかけ再生を行って、放送用電波が現在放送している時間に、追いかけ再生している再生データが追いついたら、そこから放送用電波から受信したリアルタイムの映像を再生出力するようにしてもよい。
【００５２】
尚、再生中に実行される識別子指定処理（Ｓ６０）を実行する中央制御装置３０が、本発明の識別子変更手段に相当する。選択画面表示処理（Ｓ３）で再生時間を画面５０に表示する処理を行う中央制御装置３０が、本発明の再生時間表示手段に相当する。本実施形態の中央制御装置３０は、Ｓ＆Ｂ解除処理（Ｓ４０）が実行されないと、Ｓ＆Ｂの識別子が付されたブロックの再生が行われないので、このＳ＆Ｂの識別子が付されたブロックの再生を予め禁止している中央制御装置３０が、本発明の再生禁止手段に相当する。
[第２実施形態]
次に、第２実施形態について説明する。
【００５３】
ここで、図８は、本実施形態の監視システムの模式図である。図９は、家庭用コンピュータのブロック図である。
[監視システム及びコンピュータについて]
本実施形態の監視システムは、映像の再生データをどのような形態で再生したかを監視するシステムである。この監視システム１００は、図８に示すように、３種類のコンピュータと、これらをつなぐインターネット回線で構成されている。このうち３種類のコンピュータとは、家庭で用いられる家庭用コンピュータ２００と、この監視システムを運営する監視用コンピュータ３００と、スポンサーのコンピュータ４００である。
【００５４】
このうち家庭用コンピュータ２００は、図９に示すように、本体２００ａにＣＰＵ２１０ａ、ＲＯＭ２１０ｂ、ＲＡＭ２１０ｃ等を備える中央制御装置２１０と、映像信号の出力を行う映像出力装置２１２、ヒューマンインターフェイス機器と通信を行う入出力装置２１４、ＤＶＤその他の記録メディアに対しデータの書込及び読込を行うリーダライタ装置２１６、インターネット回線と通信を行う外部通信装置２１８、及び、その他の装置２２０とを備えている。また、本体２００ａには、モニタ２２２とマウス２２４が接続され、モニタ２２２は映像出力装置２１２と接続され、マウス２２４は入出力装置２１４と接続されている。そして、中央制御装置２１０、映像出力装置２１２、入出力装置２１４、リーダライタ装置２１６、外部通信装置２１８及びその他の装置２２０は、バス２２６を介して通信可能に接続され、各装置２１２〜２２４は、中央制御装置２１０で実行される各種処理に基づいて動作する。
【００５５】
監視用コンピュータ３００及びスポンサー用コンピュータ４００は、後述する処理を行うことを除き、それぞれ中央制御装置３１０、４１０（図８参照）で行われる各種処理に応じて動作し、かつインターネット回線と通信可能に構成された一般的なコンピュータであるため、これらのコンピュータ３００，４００の内部構成についての説明は省略する。
[再生データについて]
次に、本実施形態の監視システム１００を構成する各種コンピュータのうち、家庭用コンピュータ２００で再生される再生データ１０１について説明する。
【００５６】
図１０は本実施形態の再生データ１０１について説明するための説明図で、（ａ）は再生データ１０１のデータ構造を示す模式図、（ｂ）はＣＭを挿入すべきタイミングを示す挿入タイミング情報が記録されたテーブルデータのデータ表である。
【００５７】
本実施形態の再生データ１０１は、上記第１実施形態で説明した再生データ１と基本的には同じものであるので、詳細については説明を省略する。ただし、本実施形態の再生データ１０１は、ＣＭを挿入すべきポイントを示すＣＭポイント情報が、識別子情報等とともに再生データ１０１の図示しないヘッダ部分に格納されている。このＣＭポイント情報は、図１０（ｂ）に示すように、再生タイミングが早いものから順に、再生時間のいずれのタイミングに挿入すべきかを（例えば、１番目のものは、再生時間のＡ３分に、２番目のものは再生時間のＡ６分にすることなど）まとめたテーブルデータである。
【００５８】
このように構成された再生データ１０１は、本実施形態ではＤＶＤに記録されている。
また、家庭用コンピュータ２００には、各スポンサーのＣＭ映像の割込再生データ１０１が記録されている。この割込再生データ１０１は、インターネット回線を介して監視用コンピュータ３００あるいはスポンサー用コンピュータ４００から家庭用コンピュータに定期的にダウンロードされ、家庭用コンピュータ２００は、常にスポンサーの最新のＣＭ映像の再生データ１０１が記録されている。
｛各種処理について｝
次に、各コンピュータで実行される各種処理について説明する。
【００５９】
ここで、図１１は家庭用コンピュータ２００で実行される再生処理のフローチャートである。
このうちまず、家庭用コンピュータ２００で実行される再生処理について説明する。
【００６０】
この主処理（Ｓ２００）は、家庭用コンピュータ２００のマウス２４４等が操作され、所定の再生開始を指示する操作が開始されたときに実行される処理である。
この主処理（Ｓ２００）が開始されると、まず、中央制御装置２３０は、ＣＭの挿入を許可するか否かを問う選択表示画面をモニタ２４２に表示する（Ｓ２０１）。すると、操作者は、マウス２４４を使用し、その選択表示画面に従ってＣＭの挿入を許可するか否かを選択する操作を行うので、中央制御装置２３０は、ＣＭを挿入するか否かどちらの操作をマウス２４４が受け付けたを判定する（Ｓ２０２）。
【００６１】
この判定（Ｓ２０２）により、中央制御装置２３０が、ＣＭを挿入するという操作を受け付けたと判定したら（Ｓ２０２：ＹＥＳ）、映像の再生データ１０１のＣＭブロックにスポンサーのＣＭの映像データを適宜挿入する処理を行う（Ｓ２０３）。この挿入方法は、どのような方法でもよく、例えば、複数のスポンサーの複数のＣＭについて、予め挿入する順番を決めておき、その順番どおりに挿入してもよいし、乱数的に表示してもよい。そして、挿入したＣＭの種類と、挿入回数に関するＣＭ挿入データを作成し、ＲＡＭ２３０ｂに記憶する処理を実行する（Ｓ２０４）。一方、Ｓ２０２の判定により、中央制御装置２３０が、ＣＭを挿入しないという操作を受け付けたと判定したら（Ｓ２０２：ＮＯ）、ＣＭが挿入されなかったことを示すＣＭ未挿入信号を作成し、ＲＡＭ２３０ｂに記憶する処理を実行する（Ｓ２０４）。
【００６２】
Ｓ２０３及びＳ２０４の処理が終了したら、中央制御装置２３０は、再生データ１０１を再生する処理を実行する（Ｓ２０５）。尚、このＳ２０５では、第１実施形態で説明した、主処理（Ｓ１）を実行してもよい。
【００６３】
そして、このＳ２０５の処理が終了したら、中央制御装置２３０は、ＲＡＭ２３０ｂに記憶されたＣＭ挿入信号あるいはＣＭ未挿入信号を、インターネットを介し、監視用コンピュータ３００に送信する処理を実行する（Ｓ２０６）。
【００６４】
このＳ２０６の処理が終了すると、中央制御装置２３０は、この主処理を終了する。
次に、監視用コンピュータ３００で実行される清算処理について説明する。
ここで図１２は監視用コンピュータ３００で実行される清算処理のフローチャートである。
【００６５】
この清算処理（Ｓ３００）では、まず、家庭用コンピュータ２００からＣＭ挿入信号または、ＣＭ未挿入信号を受信したか否かを判定する。
この判定（Ｓ３０１）により、上記いずれの信号も受信していないと判定したら（Ｓ３０１：ＮＯ）待機し、いずれかの信号を受信したら（Ｓ３０１：ＹＥＳ）、どちらの信号を受信したかを判定する（Ｓ３０２）。
【００６６】
この判定（Ｓ３０２）において、監視用コンピュータ３００が、ＣＭ挿入信号を受信したら（Ｓ３０２：ＹＥＳ）、ＲＡＭにどのＣＭが何回見られたかを記録する処理を実行する（Ｓ３０３）。
【００６７】
一方、Ｓ３０２の判定において、監視用コンピュータ３００が、ＣＭ未挿入信号を受信したら（Ｓ３０２：ＮＯ）、ＲＡＭにＣＭを挿入可能な回数を記録する処理を実行する（Ｓ３０４）。
【００６８】
そして、Ｓ３０３及びＳ３０４の処理が終了すると、監視用コンピュータ３００の内部時計の日時情報により、清算日が来たか否かを判定する処理を行い（Ｓ３０５）、この判定で（Ｓ３０５）、清算日が来ていないという判定がされたら（Ｓ３０５：ＮＯ）、再びＳ３０１を実行し、清算日が来ているという判定がされたら（Ｓ３０５：ＹＥＳ）、監視用コンピュータ３００は、清算情報を作成して送信する（Ｓ３０６）。この清算情報送信処理（Ｓ３０６）では、Ｓ３０２及びＳ３０３においてＲＡＭに記憶された情報から、スポンサーに対し請求するスポンサー料と、再生データ１０１を利用した利用者に請求する個人請求料とが計算される。このうちスポンサー料は、ＲＡＭにどのＣＭが何回見られたかが記録されているので、再生データ１０１が利用されたことによる著作権料を、ＣＭを再生データ１０１の再生中に流す代償に、スポンサーに要求するものである。一方、個人請求料は、再生データ１０１の著作権料を個人から要求するものである。このＳ２０６の処理が実行されると、個人請求料に関する清算情報（第２課金情報）については、家庭用コンピュータ２００に送信され、一方、スポンサー料に関する清算情報（第１課金情報）ついては、スポンサー用コンピュータ４００に送信され、それぞれのコンピュータ２００，４００で、それら清算情報を確認することが可能となる。
【００６９】
以上、本実施形態の特徴的な作用効果について説明する。
コンピュータ２００では、ＣＭを挿入した再生データ１０１、あるいは、ＣＭを挿入していない再生データ１０１を選択的に再生することが可能であり、その再生結果を一般公衆回線を介して監視用コンピュータ３００に送信することが可能であるので、監視用コンピュータ３００側において、ＣＭを挿入した再生データ１０１、あるいは挿入していない再生データ１０１のいずれを再生したか、ＣＭが何回再生されたかなど、コンピュータ２００側での再生データ１０１や割込再生データ１０１の再生状況が把握できる。
【００７０】
従って、本実施形態のコンピュータ２００を用いると、例えば、再生データ１０１の再生の有無や、ＣＭの再生の有無をパラメータとした課金など、再生データ１０１の再生状況に応じた課金などを監視者側において行うことができる。
【００７１】
次に、本実施形態の監視用コンピュータ３００では、ＣＭの再生回数に応じた第１課金情報を作成できるので、ＣＭの提供者に対する課金情報を作成することができる。
また、本実施形態の監視用コンピュータ３００では、ＣＭが再生されずに再生された再生データ１０１の再生回数に応じた第２課金情報を作成できるので、再生データ１０１の利用者に対し、再生データ１０１の著作権料に関する課金情報を作成することができる。
【００７２】
本実施形態の家庭用コンピュータ２０が本発明の再生装置に相当し、ＣＭの再生データ１０１が割込再生データ１０１に相当し、Ｓ２０３を実行する中央制御手段が挿入手段に相当し、マウスと、Ｓ２０２を実行する中央制御装置が選択受付手段に相当し、Ｓ２０５を実行する中央制御装置が再生手段に相当し、Ｓ２０６を実行する中央制御装置が送信手段に相当する。
【００７３】
以上本発明の一実施形態ついて説明したが、本発明はこの実施形態に何等限定されるものではなく、本発明の要旨を逸脱しない範囲において、種々なる態様で実施し得ることは勿論である。
【００７４】
上記実施形態では、Ｓ４０、Ｓ５０、Ｓ６０について再生データを再生中に行う例について説明したが、これらを再生データの再生中以外に実行してもよいことはもちろんである。その場合、各処理（Ｓ４０〜Ｓ６０）は、これらを実行する操作を行うことによって処理を開始させればよく、各処理のＳ４５、Ｓ５３、Ｓ６３の判断では、各処理の操作が終了したことを知らせる操作がなされたか否かを判定すればよい。
【図面の簡単な説明】
【００７５】
【図１】第１実施形態の再生データについて説明するための説明図で、（ａ）は再生データのデータ構造を示す模式図、（ｂ）はブロックとレベルの情報が記録されたテーブルデータのデータ表である。
【図２】再生データを再生可能なコンピュータ３のブロックである。
【図３】再生データの再生方法を選択する際に実行される主処理のフローチャートである。
【図４】主処理が実行されているときにモニタ４２に表示される選択画面の模式図である。
【図５】Ｓ＆Ｂ解除処理のフローチャートである。
【図６】Ｓ＆Ｂ選択処理のフローチャートである。
【図７】識別子指定処理のフローチャートである。
【図８】第２実施形態の監視システムの模式図である。
【図９】家庭用コンピュータのブロック図である。
【図１０】第２実施形態の再生データについて説明するための説明図で、（ａ）は再生データのデータ構造を示す模式図、（ｂ）はブロックとレベルの情報が記録されたテーブルデータのデータ表である。
【図１１】家庭用コンピュータ２００で実行される再生処理のフローチャートである。
【図１２】監視用コンピュータ３００で実行される清算処理のフローチャートである。
【符号の説明】
【００７６】
１…再生データ、３…コンピュータ、３ａ…本体、３０…中央制御装置、３２…映像出力装置、３４…入出力装置、３６…リーダライタ、４２…モニタ、４４…マウス、４６…バス、５０…画像、５１…メイン画像部、５２…再生時間画像部、５３…選択画像部、５３ａ〜５３ｆ…アイコン、１００…監視システム、１０１…再生データ、２００…家庭用コンピュータ、２００ａ…本体、２１０…中央制御装置、２１２…映像出力装置、２１４…入出力装置、２１６…リーダライタ装置、２１８…外部通信装置、２２２…モニタ、２２４…マウス、２２６…バス、２３０…中央制御装置、２４２…モニタ、２４４…マウス、３００…監視用コンピュータ、３１０…中央制御装置、４００…スポンサー用コンピュータ、
【図１】
2007104276.tif 000003
【図２】
2007104276.tif 000004
【図３】
2007104276.tif 000005
【図４】
2007104276.tif 000006
【図５】
2007104276.tif 000007
【図６】
2007104276.tif 000008
【図７】
2007104276.tif 000009
【図８】
2007104276.tif 000010
【図９】
2007104276.tif 000011
【図１０】
2007104276.tif 000012
【図１１】
2007104276.tif 000013
【図１２】
2007104276.tif 000014